(57)【要約】      （修正有）【課題】ＬＥＤの密封性を確保し、通常の使用状態でＬＥＤが露出することがないＬＥＤライトを提供する。【解決手段】ＬＥＤ６の駆動回路と、ＬＥＤ６と駆動回路が取り付けられる支持体１０と、支持体１０が収容される筒状の第１ケース１と、第１ケース１に対して着脱自在に結合され、かつ、透光性を有する筒状の第２ケース２と、第２ケース２の前面側に取り付けられるレンズ部材３と、第２ケース２とレンズ部材３の間に介在するパッキン部材と、を備える。ＬＥＤ６が第２ケース２の内部空間に収容されるように、第２ケース２と支持体１は一体化され、レンズ部材３は、第２ケース２の前面側から取り付けられ、第２ケース２に形成された段差部２ｃに当接し、かつ、第２ケース２に形成された係合突起と、レンズ部材３に形成された係合凹部により、両者が結合される。【選択図】図３
0003171386.tif 000002
【実用新案登録請求の範囲】
【請求項１】
ＬＥＤ、および、このＬＥＤを駆動する駆動回路と、
これらＬＥＤ、駆動回路が取り付けられると共に、電池を収容する電池収容部が形成される支持体と、
この支持体が内部に収容される筒状の第１ケースと、
この第１ケースの前面側に第１ケースに対して着脱自在に結合され、かつ、透光性樹脂により形成される筒状の第２ケースと、
この第２ケースの前面側に取り付けられる樹脂製の透光部材と、
前記第２ケースと前記透光部材の間に介在するパッキン部材と、を備えており、
前記ＬＥＤが前記第２ケースの内部空間に収容されるように、前記第２ケースと前記支持体は一体化して結合されており、
前記透光部材は、前記第２ケースの前面側から取り付けられるように構成され、前記透光部材が取り付けられたときに、前記第２ケースの前面側に形成された段差部に前記透光部材に形成された当接部が当接するように構成し、かつ、前記第２ケースと前記透光部材の一方に形成された係合突起と、前記第２ケースと前記透光部材の他方に形成された係合凹部または係合孔とにより、前記透光部材が前記第２ケースに結合されるように構成したことを特徴とするＬＥＤライト。
【請求項２】
前記パッキン部材は、Ｏリングであり、前記段差部の後方、かつ、前記係合突起部の前方に配置されることを特徴とする請求項１に記載のＬＥＤライト。
【請求項３】
前記透光部材は、板状部と、この板状部の後方側に一体形成される筒状部と、により構成され、前記板状部の後面が前記当接部として機能することを特徴とする請求項１又は２に記載のＬＥＤライト。
【請求項４】
前記透光部材は無色透明の樹脂により形成され、前記第２ケースは半透明の樹脂により形成されることを特徴とする請求項１〜３のいずれか１項に記載のＬＥＤライト。
【請求項５】
前記支持体と前記第２ケースの一方に形成された第２係合突起と、前記支持体と前記第２ケースの他方に形成された第２係合凹部または第２係合孔により、前記支持体と前記第２ケースを結合して一体化したことを特徴とする請求項１〜４のいずれか１項に記載のＬＥＤライト。
【請求項６】
前記第１ケースの後面側に設けられるスイッチ押圧部と、前記支持体の後面側に配置されるＬＥＤ点灯用のスイッチと、を備え、前記スイッチ押圧部として柔軟性を有する部材を使用していることを特徴とする請求項１〜５のいずれか１項に記載のＬＥＤライト。
【考案の詳細な説明】
【技術分野】
【０００１】
本考案は、ＬＥＤを用いた小型で扱いやすいＬＥＤライトに関するものである。
【背景技術】
【０００２】
かかる照明ライトの一例として、下記特許文献に開示されるＬＥＤライトが知られている。このＬＥＤライトは、光拡散体が操作本体に着脱自在に取り付けられて構成され、スイッチをオンすることで、ＬＥＤに通電され光拡散体の表面から光が拡散する。
【先行技術文献】
【特許文献】
【０００３】
【特許文献１】特開２００１−９３３０１号公報
【考案の概要】
【考案が解決しようとする課題】
【０００４】
上記先行技術に開示される光拡散体は、中空ではなく中実の状態で樹脂成形されるものであり、光拡散体を外した時にＬＥＤが外部に露出する構成になっている。
【０００５】
しかしながら、ＬＥＤが外部に露出可能な構成は、ＬＥＤやその駆動回路に水分や塵埃が付着するなどの問題があり、動作に不具合が生じる原因となる。それを防止するには、カバーケースを更に設けておく必要があるが、そうすると、余分な部品が増えてしまうことになる。
【０００６】
本考案は上記実情に鑑みてなされたものであり、その課題は、ＬＥＤの密封性を確保し、通常の使用状態でＬＥＤが露出することがないＬＥＤライトを提供することである。
【課題を解決するための手段】
【０００７】
上記課題を解決するため本考案に係るＬＥＤライトは、
ＬＥＤ、および、このＬＥＤを駆動する駆動回路と、
これらＬＥＤ、駆動回路が取り付けられると共に、電池を収容する電池収容部が形成される支持体と、
この支持体が内部に収容される筒状の第１ケースと、
この第１ケースの前面側に第１ケースに対して着脱自在に結合され、かつ、透光性樹脂により形成される筒状の第２ケースと、
この第２ケースの前面側に取り付けられる樹脂製の透光部材と、
前記第２ケースと前記透光部材の間に介在するパッキン部材と、を備えており、
前記ＬＥＤが前記第２ケースの内部空間に収容されるように、前記第２ケースと前記支持体は一体化して結合されており、
前記透光部材は、前記第２ケースの前面側から取り付けられるように構成され、前記透光部材が取り付けられたときに、前記第２ケースの前面側に形成された段差部に前記透光部材に形成された当接部が当接するように構成し、かつ、前記第２ケースと前記透光部材の一方に形成された係合突起と、前記第２ケースと前記透光部材の他方に形成された係合凹部または係合孔とにより、前記透光部材が前記第２ケースに結合されるように構成したことを特徴とするものである。
【０００８】
かかる構成によるＬＥＤライトの作用・効果を説明する。ＬＥＤ及びその駆動回路は、支持体に取り付けられ、さらに、この支持体は筒状の第１ケース内に収容される。また、第１ケースの前面側に第２ケースが着脱自在に結合される。この第２ケースと支持体が一体化されて結合され、第２ケースの内部空間にＬＥＤが収容される。支持体に電池収容部が設けられているので、電池を交換する時は、第２ケースと支持体が一体化した状態で第１ケースから外すことができる。従って、ＬＥＤは内部空間に収容されたまま、電池交換が可能である。
【０００９】
一方、第２ケースの前面側には樹脂製の透光部材がパッキン部材を介在させて取り付けられる。透光部材を第２ケースに取り付けるときは、前面側から押しこんでいけばよく、第２ケースの段差部に透光部材の当接部が当接した時点で両者は係合し取り付けが完了する。これにより、第２ケースの内部空間を外部から密閉状態にすることができる。従って、ＬＥＤが外部に露出することはない。なお、本考案において、前面側とはＬＥＤの光が照射する方向に対応する方向であると定義する。
【００１０】
第１ケースと第２ケースは筒状であり、全体的にＬＥＤライトは筒状の形状になるので携帯しやすく小型化に資することができる。また、第２ケースと透光部材は透光性を有しているので、ＬＥＤからの照明光をこれら第２ケースと透光部材を介して光を照射することができる。第２ケースも透光性を有しているので前面側のみならず側方からも照射させることができる。以上のように、ＬＥＤの密封性を確保し、通常の使用状態でＬＥＤが露出することがないＬＥＤライトを提供することができる。
【００１１】
本考案にかかる前記パッキン部材は、Ｏリングであり、前記段差部の後方、かつ、前記係合突起部の前方に配置されることが好ましい。
【００１２】
この構成によると、Ｏリングが段差部と係合突出部の間に位置することになるので、Ｏリングが不要に脱落することがない。また、段差部とＯリングの２段階により密封することができる。
【００１３】
本考案に係る前記透光部材は、板状部と、この板状部の後方側に一体形成される筒状部と、により構成され、前記板状部の後面が前記当接部として機能することが好ましい。
【００１４】
この構成によると、板状部の後面を当接部とすることができ、この当接部により最前面部における密封性を保持することができる。また、筒状部によりパッキン部材の保持機能や係合機能を持たせることができる。
【００１５】
本考案において、前記透光部材は無色透明の樹脂により形成され、前記第２ケースは半透明の樹脂により形成されることが好ましい。
【００１６】
この構成によると、透光部材を介して前方側にＬＥＤ光を照射することができる。また、第２ケースの前面側以外の側面からも光を照射することができる。第２ケースは半透明であるので、透光性を有しながらも、内部構造を見えにくくすることができる。
【００１７】
本考案において、前記支持体と前記第２ケースの一方に形成された第２係合突起と、前記支持体と前記第２ケースの他方に形成された第２係合凹部または第２係合孔により、前記支持体と前記第２ケースを結合して一体化したことが好ましい。
【００１８】
かかる構成によれば、係合突起と係合孔または係合凹部の組み合わせにより、支持体と第２ケースを一体化して結合することができる。従って、特別な組み立て治具は必要なく、簡単な構成により優れた組立性を確保することができる。
【００１９】
本考案において、前記第１ケースの後面側に設けられるスイッチ押圧部と、前記支持体の後面側に配置されるＬＥＤ点灯用のスイッチと、を備え、前記スイッチ押圧部として柔軟性を有する部材を使用していることが好ましい。
【００２０】
スイッチ押圧部を柔軟性を有する部材を用いているので、スイッチ押圧部の部分を密閉させることができ、かつ、スイッチを外部から容易に操作することができる。
【図面の簡単な説明】
【００２１】
【図１】本実施形態に係るＬＥＤライトの外観斜視図
【図２】電池交換時の着脱状態を示す図
【図３】ＬＥＤライトＬの内部構造を示す断面図
【図４】第２ケースと支持体、レンズ部材の取り付け構造を示す部分拡大図
【図５】第２ケースと支持体を結合した状態を示す部分拡大断面図
【図６】レンズ部材の取り付け構造を示す部分拡大断面図
【考案を実施するための形態】
【００２２】
本考案に係るＬＥＤライトの好適な実施形態を図面を用いて説明する。図１は、ＬＥＤライトの外観斜視図であり、図２は、電池交換時の着脱状態を示す図である。
【００２３】
＜外観構成＞
図１に示すように、ＬＥＤライトＬは、円筒形の外観を呈している。外観は、円筒状の第１ケース１と同じく円筒状の第２ケース２を備えている。これら第１ケース１と第２ケース２は、同じ外径を有し、共に、透光性を有する樹脂により成型される。これら第１・第２ケース１，２は、半透明の樹脂により成型されるので、透光性を有するが、内部部品は外観から見えないようになっている。第１ケース１の方が第２ケース２よりも長い筒状に形成される。
【００２４】
第２ケース２の前面側にはレンズ部材３（透光部材に相当）が取り付けられる。レンズ部材３は、無色透明の樹脂により成型される。第２ケース２の後面側にはスイッチ押圧部４が設けられており、スイッチ押圧部４を押すことでＬＥＤを点灯させることができる。
【００２５】
図２に示すように、円筒状の支持体１０が設けられており、第２ケース２と一体的に結合されている。支持体１０には、ＬＥＤ、ＬＥＤを駆動する駆動回路が取り付けられると共に、電池５（単三電池）を収容するための電池収容部１１が形成される。
【００２６】
第２ケース２の後面側の外周面には雄ねじ部２ａが一体形成され、第１ケース１の前面側の内周面に一体形成された雌ねじ部１ａに螺合する。これにより、第２ケース２と支持体１０が一体化された状態で第１ケース１から外すことができる。
【００２７】
＜ＬＥＤライトの内部構造＞
図３は、ＬＥＤライトＬの内部構造を示す断面図であり、一部の部材を分解した状態で示している。図４は、第２ケース２と支持体１０およびレンズ部材３の取り付け構造を示す部分拡大図である。図５は、第２ケース２と支持体１０を結合した状態を示す部分拡大断面図である。図６は、レンズ部材３の取り付け構造を示す部分拡大断面図である。
【００２８】
支持体１０は、支持体本体１０Ａと、第１カバー部材１０Ｂと、第２カバー部材１０Ｃにより構成され、いずれも樹脂により形成される。電池収容部１１には、電池５を収容するための空間が形成されており、電池５のマイナス端子が接触する第１端子部材１１ａと、プラス電極が接触する第２端子部材１１ｂが取り付けられている。
【００２９】
第１ケース１の後面側には、ゴム製の柔軟性のあるスイッチ押圧部４が取り付けられる。第１ケース１の後面側には、内壁面にリング状の係合突起１ｂが一体形成される。スイッチ押圧部４の内面側には押圧部４ａが一体形成され、支持体１の後面側に取り付けられたスイッチ７を押すことができるように構成されている。スイッチ押圧部４には、リング状の係合溝４ｂが形成されており、係合突起１ｂに嵌合することができる。押圧部４ａの周囲は薄肉に形成されているので、容易に押圧部４ａを押すことができる。このスイッチ押圧部４の構成によれば、パッキンの機能も持たせることができ、Ｏリング等を用いなくても、防水・防塵機能を果たすことができる。
【００３０】
スイッチ７の表面をカバーするように薄肉樹脂製のカバーシート７ａが取り付けられており、このカバーシート７ａを介してスイッチ７が押される。スイッチ７を押すことで、ＬＥＤの点灯を制御する。スイッチ７は、基板７ｂに取り付け支持される。また、第１端子部材１１ａも基板７ｂに、はんだ付けにより接続される。スイッチ７は、市販のマイクロスイッチでよく、押している間のみオンになり、押すことをやめるとオフに自動復帰する。
【００３１】
支持体１０の前面側には、回路基板５０が取り付けられる。回路基板５０は、支持体本体１０Ａに一体形成されたボス部１０ｄに搭載され、第１カバー部材１０Ｂを利用してネジ５１により結合される。また、回路基板５０には、第２端子部材１１ｂがはんだ付けにより接続される。また、基板７との電源ラインの接続及び信号ラインの接続は、複数本のリード線５２を用いて行われる。
【００３２】
支持体１０の前面側には、ＬＥＤ６が搭載されるＬＥＤ基板６０が２本のネジ６１により結合される。ＬＥＤ基板６０は、小判状に形成されている。支持体本体１０Ａに形成されたボス部１０ｅを利用して、ネジ６１による結合が行われる。また、支持体本体１０Ａには、位置決めガイド突起１０ｆが２か所形成され、ＬＥＤ基板６０の小判形状を利用して、位置決めされる。ＬＥＤ基板６０のＬＥＤ６と、回路基板５０とは、不図示のリード線により電気的に接続される。
【００３３】
次に、第２ケース２と支持体１０と取り付け構造を説明する。図４に詳しく示すように、支持体１０の前面側には、係合突起１０ｈ（第２係合突起に相当）と、ガイド突起１０ｇが形成されている。なお、これら係合突起１０ｈと、ガイド突起１０ｇは、１８０゜対象に２か所形成されている。
【００３４】
一方、第２ケース２には、係合突起１０ｈに対応する位置に係合孔２ｈ（第２係合孔に相当）が２か所形成され、ガイド突起１０ｇに対応する位置にガイド溝２ｇが２か所形成される。ガイド溝２ｇは、第２ケース２の内周面に形成されている。
【００３５】
この構成によると、第２ケース２を支持体１０に対して結合させるときは、支持体１０のガイド突起１０ｇと第２ケース２のガイド溝２ｇの位相を合わせた状態で、第２ケース２をそのまま押しこんでいけばよい。ガイド突起１０ｈが係合孔２ｈに嵌り込んだときに両者の結合が完了する。図５は、結合状態を示す部分拡大図である。この状態で第２ケース２と支持体１０は一体化した状態となる。
【００３６】
なお、第２ケース２の雄ねじ部２ａの近傍にはリング状の凹溝２ｂが形成され、リング状のパッキン部材２０が収容される。これにより、防水、防塵機能を果たすことができる。第２ケース２と支持体１０の結合は上記のように行われるので、組み立てのための特別な治具は必要なく、また、特別な部品も必要ないので、簡素な構造及び低コストで組み立て構造を実現することができる。
【００３７】
図３、図４に示すように、レンズ部材３は、無色透明の樹脂により成型され、レンズ部３０（板状部に相当）とこのレンズ部３０の後面側に一体形成される筒状部３１により構成される。レンズ部３０は、平坦な板形状であるが、曲率を持った形状であってもよい。
【００３８】
図６は、レンズ部材３と第２ケース２を結合した状態を示す拡大断面図である。第２ケース２の前面側には、段差部２ｃが形成される。レンズ部３０の周縁部であって裏面側は当接部３０ａとして機能する。レンズ部材３は、第２ケース２の前面側から押しこむようにして組み立てるが、結合完了時には、当接部３０ａが段差部２ｃに当接する。
【００３９】
また、レンズ部材３の筒状部３１には、リング状の係合凹部３１ａが形成され、第２ケース２の内周面に形成されたリング状の係合突起２ｄと係合する。また、係合凹部３１ａの前面側であって、当接部３０ａの後面側に、リング状の凹部３１ｂが形成され、リング状のパッキン部材３２が収容される。これにより、前面側からの防水、防塵機能を果たすことができる。
【００４０】
レンズ部材３を第２ケース２に結合させる時は、レンズ部材３にパッキン部材３２を結合させておき、第２ケース２の前面側からレンズ部材３を押し込んでいけばよい。押し込んでいくと、レンズ部材３の当接部３０ａと第２ケース２の段差部２ｃが当接した時点で、係合凹部３１ａと係合突起２ｄが係合して結合された状態になる。
【００４１】
＜ＬＥＤの点灯制御＞
ＬＥＤ６を駆動する駆動回路は、回路基板５０に搭載されており、スイッチ７の動作により点灯制御が行われる。ＬＥＤ６を点灯する場合のモードは３つあり、大きな照度で点灯する第１モード、小さな照度で点灯する第２モード、点滅させる第３モードである。消灯時にスイッチ押圧部４を押してスイッチ７がオンされると、第１モードで点灯し、その状態からもう１度スイッチ７がオンされると、第２モードで点灯し、その状態からもう１度スイッチ７がオンされると、第３モードで点滅し、その状態からもう１度スイッチ７がオンされると、消灯する。
【００４２】
＜作用および効果＞
本考案に係るＬＥＤライトＬを使用する場合は、上記のようにスイッチ押圧部４を押すことでＬＥＤ６の点灯制御を行うことができる。スイッチ押圧部４は、筒状に形成された第１ケース１の後面側にあるので、外観品質を損なうことなく無理なく配置できる。
【００４３】
ＬＥＤ６が収容されている空間は密封されており、防水・防塵機能を達成している。また、電池を交換する時もＬＥＤ６が露出されることはない。電池を交換する時は、第２ケース２と第１ケース１を結合している雄ねじ部２ａと雌ねじ部１ａを緩めればよい。このとき、第２ケース２と支持体１０は一体化した状態で第１ケース１から外され、この状態で電池交換が可能である。従って、ＬＥＤ６は常に密封された状態に保持される。
【００４４】
すなわち、第２ケース２の前面側は、レンズ部材３がパッキン部材３２を介して結合されることにより、密封される。第２ケース２と支持体１０の結合もパッキン部材２０を介して行われる。第１ケース１の後面側もパッキン機能を併せ持つスイッチ押圧部４により密封される。以上のように、密封性が高く防水機能の高いＬＥＤライトを提供することができる。
【００４５】
ＬＥＤ６を点灯あるいは点滅させたとき、ＬＥＤ６からの照明光は、前面側のレンズ部材３だけでなく第２ケース２の円筒側面からも照射されるので、比較的広い範囲の前方を照射することができる。
【００４６】
＜別実施形態＞
本実施形態では、第２ケース２に係合孔２ｈが形成され、支持体１０の係合突起１０ｈが形成されているが、係合孔２ｈを係合凹部にしてもよい。また、第２ケース２の係合突起を形成し、支持体１０に係合孔または係合凹部を形成する構成を採用してもよい。ただし、本実施形態のように構成すれば、成型が容易である。
【００４７】
本実施形態では、第２ケース２に係合突起２ｄが形成され、レンズ部材３に係合凹部３１ａが形成されているが、第２ケース２に係合凹部が形成され、レンズ部材３に係合突起が形成されてもよい。ただし、本実施形態のように構成すれば、成型が容易である。また、係合凹部の代わりに係合孔を形成してもよいが、強度および外観品質を考慮すれば、本実施形態の構成が優れている。
【００４８】
ＬＥＤについては、特定のものに限定されるものではない。通常のＬＥＤでもよく、高輝度タイプのＬＥＤでもよい。また、チップタイプのＬＥＤは、小型化に寄与することができるので好ましい。ＬＥＤは白色ＬＥＤでもよいし有色ＬＥＤでもよい。
【００４９】
第１ケース１は、本実施形態では、半透明の樹脂で形成されるが、透光性を有しない樹脂で成型してもよい。
【符号の説明】
【００５０】
Ｌ        ＬＥＤライト
１        第１ケース
１ａ      雌ねじ部
２        第２ケース
２ａ      雄ねじ部
２ｃ      段差部
２ｄ      係合突起
２ｈ      係合孔
３        レンズ部材
４        スイッチ押圧部
５        電池
６        ＬＥＤ
７        スイッチ
１０      支持体
１０ｈ    係合突起
１１      電池収容部
３０      レンズ部
３０ａ    当接部
３１      筒状部
３１ａ    係合凹部
３２      パッキン部材
５０      回路基板
６０      ＬＥＤ基板
【図１】
0003171386.tif 000003
【図２】
0003171386.tif 000004
【図３】
0003171386.tif 000005
【図４】
0003171386.tif 000006
【図５】
0003171386.tif 000007
【図６】
0003171386.tif 000008